(57)【要約】【課題】  汎用の空気調和機に対して、空気調和機とは別個のシンプルな構造の部品として、簡便かつ容易に取り付けることにより、ドレン水等を有効に利用することができ、空気調和機のエネルギー効率を向上させることができるセパレート型空気調和機の室外ユニット用水供給装置を提供することを目的とする。【解決手段】  水を搬送する配管を室外側熱交換器の近傍に固定する配管固定部１１と、前記配管からの水を所定位置に放出する水放出部１２と、水放出部１２から放出された水を前記室外側熱交換器の表面に分配して供給するための水分配部１３とを備えてなるセパレート型空気調和機の室外ユニット用水供給装置。【選択図】  図１
2005195233.tif 000002
【特許請求の範囲】
【請求項１】
水を搬送する配管を室外側熱交換器の近傍に固定する配管固定部と、
前記配管からの水を所定位置に放出する水放出部と、
該水放出部から放出された水を前記室外側熱交換器の表面に分配して供給するための水分配部とを備えてなることを特徴とするセパレート型空気調和機の室外ユニット用水供給装置。
【請求項２】
さらに、室外ユニット用水供給装置を室外ユニットの外気吸入側面の上部に着脱可能に取り付けるための固定部を備えてなる請求項１に記載の水供給装置。
【請求項３】
配管は、室内ユニットに接続されたドレン水配管である請求項１又は２に記載の水供給装置。
【請求項４】
配管固定部は、水放出部を兼ねた管状継手からなる請求項１〜３のいずれか１つに記載の水供給装置。
【請求項５】
水分配部は、室外ユニットの室外側熱交換器における外気吸入面に当接し得る所定幅の先端部を有する平板状の含水し得る材料から構成されてなる請求項１〜４のいずれか１つに記載の水供給装置。
【請求項６】
水分配部は、水放出部から水が供給される位置から先端部の間に、水を先端部に分配するための調整用貫通孔を有してなる請求項１〜５のいずれか１つに記載の水供給装置。
【請求項７】
水分配部の調整用貫通孔は、水放出部から水が供給される位置から遠くになるほど小さくなるように形成されてなる請求項６に記載の水供給装置。
【請求項８】
水分配部は、該水分配部の先端部の上側よりも先端部の下側が突出するように形成されてなる請求項５〜７のいずれか１つの記載の水供給装置。
【請求項９】
固定部は、室外ユニット天板の吸入側垂下片の外面に当接される外側当接部と、前記垂下片の内面に当接される内側当接部と、前記垂下片を挟持するようにこれら外側及び内側当接部を締め付ける締結部材とによって構成されてなる請求項１〜８のいずれか１つに記載の水供給装置。
【請求項１０】
固定部は、室外ユニット天板の吸込側垂下片の寸法に対応して、外側当接部と垂下片との当接寸法を調整可能とする調整部を備えてなる請求項９に記載の水供給装置。
【請求項１１】
外側当接部は、室外ユニット天板の上面に当接する位置決め部を備え、さらに内側当接部は、室外ユニット天板の垂下片を挟持する際、前記内側当接部の端面の一部が前記垂下片に当接するように折曲した折曲部を備えてなる請求項９又は１０に記載の水供給装置。
【請求項１２】
外側当接部は、室外ユニット天板の垂下片を挟持するのと反対側において配管固定部と水放出部とを支持し、さらに、前記配管固定部及び水放出部を覆うように取り付けられたカバーを備えており、
水分配部は、該カバーの内側であって、前記水放出部から放出された水を受け止め得る位置に固定されてなる請求項９〜１１のいずれか１つに記載の水供給装置。
【請求項１３】
カバーは、少なくとも一部が、外気を流通可能とする複数の孔が形成されてなる請求項１２に記載の水供給装置。
【請求項１４】
配管固定部は、室外ユニットの室外側熱交換器における外気吸入面に対し配管を側方から差し込むことにより取付可能に構成され、カバーは、側方が開放されてなる請求項１２又は１３に記載の水供給装置。
【発明の詳細な説明】
【技術分野】
【０００１】
本発明は、セパレート型空気調和機の室外ユニット用水供給装置に関し、例えば、空気調和機の運転時に生じるドレン水を重力で室外ユニットの室外側熱交換器に散布し得るセパレート型空気調和機の室外ユニット用水供給装置に関する。
【背景技術】
【０００２】
従来から、エアコン等の空気調和機では、冷房運転にともなう熱交換時に湿気が凝縮されることで発生するドレン水を外部に排出するため、排水用のドレン管を室外に導いている。
また、一部の空気調和機では、発生するドレン水を大気中に飛散させる構造とするものもある。
しかし、ドレン水を、単に廃棄物として処理又は蒸発させているのみでは、相当の無駄なエネルギーが消費されることになり、近年の地球温暖化等の環境問題を考慮すると、さらに無駄なエネルギーの消費を抑え、効率的に空気調和機を運転させる工夫が要求される。
【０００３】
これに対して、室内ユニットの室内側ドレンパンに集められたドレン水を貯留して、室外ユニットにおける室外側熱交換器に自然落下させるドレン水案内管を室外ユニット内に配管させる空気調和機が提案されている（例えば、特許文献１及び２）。このような空気調和機では、ドレン水を室外側熱交換器に、動力源なしで、重力により供給し、熱交換器の効率を向上させることができる。
しかし、これらの空気調和機では、室外ユニット自体が、ドレン水案内管を配管する構造に設計され、製作されている。したがって、今後出荷される新しい製品について、ドレン水案内管等を採用することができるとしても、既設の空気調和機に対してこのような構造を適用することができない。
【特許文献１】特開平５−１０５５１号公報
【特許文献２】特開平５−３４６２３６号公報
【発明の開示】
【発明が解決しようとする課題】
【０００４】
本発明は、上記課題に鑑みなされたものであり、汎用の空気調和機に対して、空気調和機とは別個のシンプルな構造の部品として、簡便かつ容易に取り付けることにより、ドレン水等を有効に利用することができ、空気調和機のエネルギー効率を向上させることができるセパレート型空気調和機の室外ユニット用水供給装置を提供することを目的とする。
【課題を解決するための手段】
【０００５】
本発明のセパレート型空気調和機の室外ユニット用水供給装置は、水を搬送する配管を室外側熱交換器の近傍に固定する配管固定部と、
前記配管からの水を所定位置に放出する水放出部と、
該水放出部から放出された水を前記室外側熱交換器の表面に分配して供給するための水分配部とを備えてなることを特徴とする。
この水供給装置は、さらに、室外ユニット用水供給装置を室外ユニットの外気吸入側面の上部に着脱可能に取り付けるための固定部を備えていてもよい。
また、この水供給装置において、配管は、室内ユニットに接続されたドレン水配管であってもよい。
【０００６】
配管固定部は、水放出部を兼ねた管状継手から構成されていてもよい。
水分配部は、室外ユニットの室外側熱交換器における外気吸入面に当接しえる所定幅の先端部を有する平板状の含水し得る材料から構成されていてもよい。
また、水分配部は、水放出部から水が供給される位置から先端部の間に、水を先端部に分配するための調整用貫通孔を有していてもよい。
水分配部の調整用貫通孔は、水放出部から水が供給される位置から遠くになるほど小さくなるように形成されていることが好ましい。
水分配部は、該水分配部の先端部の上側よりも先端部の下側が突出するように形成されていることが好ましい。
固定部は、室外ユニット天板の吸入側垂下片の外面に当接される外側当接部と、前記垂下片の内面に当接される内側当接部と、前記垂下片を挟持するようにこれら外側及び内側当接部を締め付ける締結部材とによって構成されていることが好ましい。
また、固定部は、室外ユニット天板の吸込側垂下片の寸法に対応して、外側当接部と垂下片との当接寸法を調整可能とする調整部を備えていることが好ましい。
【０００７】
外側当接部は、室外ユニット天板の上面に当接する位置決め部を備え、さらに内側当接部は、室外ユニット天板の垂下片を挟持する際、前記内側当接部の端面の一部が前記垂下片に当接するように折曲した折曲部を備えていることが好ましい。
さらに、外側当接部は、室外ユニット天板の垂下片を挟持するのと反対側において、配管固定部と水放出部とを支持し、さらに、前記配管固定部及び水放出部を覆うように取り付けられたカバーを備えており、水分配部は、該カバーの内側であって、前記水放出部から放出された水を受け止め得る位置に固定されていることが好ましい。
カバーは、少なくとも一部が、外気を流通可能とする複数の孔が形成されていてもよい。
配管固定部は、室外ユニットの室外側熱交換器における外気吸入面に対し配管を側方から差し込むことにより取付可能に構成され、カバーは、側方が開放されてなっていてもよい。
【発明の効果】
【０００８】
本発明のセパレート型空気調和機の室外ユニット用水供給装置によれば、水を搬送する配管を室外側熱交換器の近傍に固定する配管固定部と、前記配管からの水を所定位置に放出する水放出部と、該水放出部から放出された水を前記室外側熱交換器の表面に分配して供給するための水分配部とを備えてなるため、セパレート型の室外ユニットに対して、新設、既設にかかわらず、取り付けることができる。これによって、水、例えば、冷房運転にともなう熱交換時の凝縮された湿気であるドレン水を、室外ユニットの室外側熱交換器に分散、供給することができ、ひいては、空気調和機における熱交換効率を向上させて、エネルギーの消費を最小限に抑えることができる。さらに、このような水供給装置は、シンプルな構造で構成されており、水供給装置自体の製造コストを最小限に留めることができるとともに、簡便かつ容易に取り付けることができる。
【０００９】
また、室外ユニット用水供給装置を室外ユニットの外気吸入側面の上部に着脱可能に取り付けるための固定部を備えている場合には、配管固定部と、水放出部と、水分配部とをひとまとまりにして室外ユニットに取り付けることができるために、取付作業を簡便にすることができる。
さらに、配管が室内ユニットに接続されたドレン水配管である場合には、ドレン水を有効に利用することができるため、より有利である。
また、配管固定部が水放出部を兼ねた管状継手から構成されている場合には、よりシンプルな構造とすることができ、水供給装置の組み立て作業、取付作業をより簡便にすることができる。
【００１０】
水分配部が、室外ユニットの室外側熱交換器における外気吸入面に当接し得る所定幅の先端部を有する平板状の含水し得る材料から構成されている場合には、室外ユニットの室外側熱交換器の広い範囲にわたって水を分配、供給することが可能となり、より熱交換効率を向上させることができる。
また、水分配部が、水放出部から水が供給される位置から先端部の間に、水を先端部に分配するための調整用貫通孔を有している場合には、供給される水の量にかかわらず、水を先端部の全体にわたって均一に供給することが可能となる。
水分配部の調整用貫通孔が、水放出部から水が供給される位置から遠くになるほど小さくなるように形成されている場合には、水分配部において、水の分配速度を制御することができ、水をより均一に分配することができる。
【００１１】
水分配部が、先端部の上側よりも先端部の下側が突出するように形成されている場合には、水分配部の先端部が、室外ユニットの室外側熱交換器における外気吸入面、つまりフィンに直接接触して、水分残部に保持された水がフィンに垂れやすくすることができる。
固定部が、室外ユニット天板の吸入側垂下片の外面に当接される外側当接部と、前記垂下片の内面に当接される内側当接部と、前記垂下片を挟持するようにこれら外側及び内側当接部を締め付ける締結部材とによって構成されている場合には、シンプルな構造により、室外ユニット天板の形状にかかわらず、固定部の固定を確実に行うことができる。
また、固定部が、室外ユニット天板の吸込側垂下片の寸法に対応して、外側当接部と垂下片との当接寸法を調整可能とする調整部を備えている場合には、特に、室外ユニットの天板における垂下部の長さに応じて、外側当接部の位置を調整することができるため、より簡便に固定部を室外ユニットに取り付けることができる。
【００１２】
外側当接部が、室外ユニット天板の上面に当接する位置決め部を備えている場合には、水供給装置を室外ユニットの外気吸入面側に取り付ける際に、位置決め及び仮固定をすることができ、取付作業を容易にすることができる。さらに内側当接部が、室外ユニット天板の垂下片を挟持する際、前記内側当接部の端面の一部が前記垂下片に当接するように折曲した折曲部を備えている場合には、締結部材を締め上げることにより、外側当接部と内側当接部とに加えられる力を、折曲部に集中させることができるため、固定部の滑り落ちなどをなくして、より強固に水供給装置を室外ユニットに取り付けることが可能になる。
外側当接部が、室外ユニット天板の垂下片を挟持するのと反対側において、配管固定部と水放出部とを支持し、さらに、前記配管固定部及び水放出部を覆うように取り付けられたカバーを備えており、水分配部は、該カバーの内側であって、前記水放出部から放出された水を受け止め得る位置に固定されている場合には、水供給装置の美観を向上させることができるとともに、水分配部を水放出部に対して適切な位置に配置することができる。
【００１３】
カバーが、少なくとも一部において外気を流通可能とする複数の孔が形成されてなる場合には、水供給装置を取り付けることによる外気の流通の阻害を防止することができ、熱交換効率をより向上させることができる。
配管固定部が、室外ユニットの室外側熱交換器における外気吸入面に対し配管を側方から差し込むことにより取付可能に構成され、カバーは、側方が開放されてなる場合には、配管を水供給装置に取り付ける際の作業を簡便に行うことができる。
【発明を実施するための最良の形態】
【００１４】
本発明のセパレート型空気調和機の室外ユニット用水供給装置の実施の形態を図面に基づいて詳細に説明する。
【００１５】
実施例１
この実施例におけるセパレート型空気調和機の室外ユニット用水供給装置１０を、図１及び図２に示す。なお、図１は、水供給装置１０の分解斜視図であり、図２は、これを組み立てて室外ユニットの天板に取り付けた際の側面図である。
この水供給装置１０は、外側当接部２２、内側当接部２１及び締結部材２３とによって構成される固定部２４と、管状継手１６と、カバー１４と、水分配部１３とを備えて構成される。
固定部２４は、図２に示したように、室外ユニット天板２５の吸入側における垂下片２５ａを、外側当接部２２と内側当接部２１とで挟持し、締結部材２３によって強固に締め付けることにより、室外ユニット天板２５の外気吸入面側の上部に着脱自在に取り付けることができる。
【００１６】
外側当接部２２は、図３（ａ）の平面図、（ｂ）の正面図、（ｃ）の側面図に示すように、略左右対称の多角形状の平板により形成されている。外側当接部２２の左右の上端部は、外側当接部２２の一方側に略直角に折曲して、室外ユニット天板の上面に当接する位置決め部２２ａを構成している。このような構成により、水供給装置１０を室外ユニットの外気吸入面側に取り付ける際に、位置決め及び仮固定をすることができ、取付作業を容易にすることができる。
【００１７】
また、位置決め部２２ａが形成されている上端部に対応する下端部には、位置決め部２２ａと同じ方向に向かって、略直角に折曲する支持部２２ｂが形成されている。このような支持部２２ｂにより、後述する内側当接部２１の下端部を支持し、外側当接部２２と内側当接部２１とのずれを防止することができる。
さらに、位置決め部２２ａと支持部２２ｂとの間であって、左右端部付近に、それぞれ締結部材２３のボルトを挿入するための貫通孔が設けられており、この貫通孔は、位置決め部２２ａの方向と支持部２２ｂとの方向に延びる長孔状の調整部２２ｃを構成している。このような長孔状の調整部２２ｃにより、室外ユニット天板２５の吸込側における垂下片２５ａの寸法に対応して、外側当接部２２と垂下片２５ａとの当接寸法を調整することができる。
なお、外側当接部２２は、中央部の下側に切欠部２２ｄが形成されている。これにより、後述する内側当接部２１を片手で容易に動かして取り付けることができる。
【００１８】
内側当接部２１は、図４（ａ）の平面図、（ｂ）の正面図、（ｃ）の側面図に示すように、室外ユニット天板２５の垂下片２５ａの内面に当接されるように、外側当接部２２と略同じ幅で、これよりもやや高さが低い多角形状の平板により形成されている。内側当接部２１の左右の上端部は、外側当接部２２の位置決め部２２ａに略対応する位置において、略直角に折曲した折曲部２１ａを備えている。このような構成により、室外ユニット天板２５の垂下片２５ａを挟持する際、内側当接部２１の折曲部２１ａである端面が、垂下片２５ａに当接することができ、締結部材２３によって締め付けられる力をこの折曲部２１ａに集中させることができ、水供給装置１０をずれなく、固定することができる。なお、屈曲部２１ａの先端（端面）は、鋸歯状に凹凸が形成されている。このような凹凸により、力を折曲部２１ａの凸部先端により集中させることができ、水供給装置１０を強固に固定することができる。
【００１９】
また、折曲部２１ａが形成されている上端部に対応する下端部には、折曲部２１ａと同じ方向に向かって、略直角に折曲する下端折曲部２１ｂが形成されている。このような下端折曲部２１ｂにより、内側当接部２１の下端部を支持して外側当接部２２と内側当接部２１とのずれを防止するとともに、締結部材２３によって締め付けられる力をここに集中させて、水供給装置１０を強固に固定することができる。
さらに、屈曲部２１ａと下端折曲部２１ｂとの間であって、左右端部付近に、屈曲部２１ａと下端折曲部２１ｂの折れ曲がった方向に向かって延びる締結部材２３のボルトが、それぞれ内側当接部２１に一体的に設けられている。
固定部２４の他方側、つまり、外側当接部２２であって、内側当接部２１に対面するのと反対側において、管状継手１６が取り付けられている。なお、管状継手１６は、左右に取り付け可能なように、注水箱１５を介して、外側当接部２２に取り付けられている。管状継手１６は、水を搬送する配管、例えば、室内ユニットに接続されたドレン水配管を、室外側熱交換器の近傍に固定する配管固定部１１の機能を果たすとともに、配管からの水を所定位置に放出する水放出部１２の機能をも果たす。なお、注水箱１５は、管状継手１６の配管固定部１１の機能を果たす部分とともに、配管継手１６を外側当接部２２に取り付けるための配管固定部１１の一部として形成されている。
【００２０】
このような固定部２４を有することにより、室外ユニットの室外側熱交換器における外気吸入面にドレン水配管を固定することができ、例えば、空気調和機の運転により発生したドレン水を効率的に利用することができる。
管状継手１６は、室外ユニットの室外側熱交換器における外気吸入面に対し、配管を側方から差し込んで取り付けすることができるように、配管固定部１１に相当する部分が、水供給装置１０の側方に向いて配置している。なお、管状継手１６は、例えば、ドレン水配管が装着できるような内径又は外径を有している。また、水放出部１２に相当する部分は、後述する水分配部１３の上方であって、水分配部１２の中央部に対応する位置に配置されている。これにより、水分配部１３が、ドレン水を、室外ユニットの室外側熱交換器における外気吸入面に略均等に分配して、効率よく供給することができる。
水分配部１３は、図５（ａ）及び（ｂ）に示したように、水放出部１２から放出された水を室外側熱交換器の表面に分配して供給するためのものであり、所定幅（図１及び図５中、幅Ｗ）、例えば、１５０〜３００ｍｍ程度の幅の先端部１３ｂを有し、例えば、１５〜３０ｍｍ程度の長さ（図１及び図５中、長さＬ）を有する平板状、例えば、略多角形の平板状の含水し得る材料、例えば、厚さ数ミリのフェルトから構成されている。これにより、水分配部１３が、供給された水を保持し、先端部１３ｂの所定幅に分配することができるとともに、室外ユニットの室外側熱交換器における外気吸入面に当接することによって、水を室外側熱交換器に供給することができる。
【００２１】
また、水分配部１３は、水放出部１２から水が供給される位置から先端部１３ｂの間に、水を先端部１３ｂに分配するための調整用貫通孔１３ａを有している。この調整用貫通孔１３ａは、水放出部１２から水が供給される位置から遠くになるほど小さく形成されている。これにより、水分配部１３の先端部に均等にドレン水を分配することができ、広い範囲で、ドレン水を室外側熱交換器のフィンの表面に供給することができる。
さらに、水分配部１３は、室外ユニットの室外側熱交換器における外気吸入面に当接する先端部１３ｂが、（図５（ｂ）参照）斜めにカットされている。つまり、水分配部１３が適所に配置された場合に、先端部の下側が先端部の上側よりも突出するようにカットされている。このような構成により、図２に示したように、水分配部１３の先端部を室外ユニット２５の室外側熱交換器における外気吸入面のフィン３３に確実に当接させることができ、その結果、水分配部１３に保持された水が、フィン３３に垂れやすくすることができ、ひいては、熱交換効率を向上させることができる。
【００２２】
カバー１４は、図６（ａ）の平面図、（ｂ）の正面図、（ｃ）の側面図に示すように、配管固定部１１及び水放出部１２の上方、前方、下方を覆い、それらの側方が開放され、例えば、コの字状に近い断面を有するように折り曲げられた平板によって形成されている。このカバー１４は、上面に長孔１４ｂを有しており、この長孔１４ｂにビスを挿入することによって、外側当接部２２に取り付けられた注水箱１５に固定される。この長孔１４ｂにより、室外ユニット天板２５の垂下片２５ａとフィン３３との距離のばらつきをなくすことができ、水を広範囲のフィン３３に対して分配することができる。
カバー１４は、上述した水分配部１３を、カバー１４の内側であって、水放出部１２から放出された水を受け止め得る位置、つまり、コの字状に近い断面における下面に、カバー１４の下端縁よりも、水分配部１３の先端部が若干突き出すように固定している。これにより、水放出部１２から放出された水を確実に水分配部１３に保持することができ、水分配部１３の先端を、確実に室外ユニットの室外側熱交換器における外気吸入面に当接させることができる（図２参照）。なお、カバー１４の上面に形成された長孔１４ａを利用して、カバー１４自体を前方又は後方に移動させることにより、水分配部１３の先端部が、室外ユニットの室外側熱交換器における外気吸入面に当接するように調整することができる。このような構成により、室外側熱交換器における外気吸入面におけるフィンの位置にかかわらず、確実に水分配部１３の先端部を、フィンに当接させることができる。
【００２３】
水分配部１３は、図７（ａ）の平面図、（ｂ）の正面図、（ｃ）の側面図に示すように、水分配部１３を挟む押さえ板１７を利用し、カバー１４、水分配部１３及び押さえ板１７にそれぞれ形成された貫通孔１４ａ、１３ｃ、１７ａに締結部材１８を挿入することにより、カバー１４へ固定されている。押さえ板１７は、水分配部１３の幅に対応する幅を有する平板により形成されており、上述したように、両端に貫通孔１４ｂを有している。なお、この貫通孔１７ａは両端のみならず、複数個あってもよい。また、水分配部１３の先端部１３ｂに対応する部分には、例えば３箇所、所定の幅で、水分配部１３を引っ掛け、押えつけた際に、水分配部１３がずれないような鋸歯部１７ｂが形成されている。
このような押さえ板１７を利用することにより、水分配部１３の形状、材質にかかわらず、水分配部１３を適所に、ずり落ちることなく固定することができる。
【００２４】
実施例２
この実施例における水供給装置は、図８に示したように、注水箱１５を用いることなく、配管固定部１１及び水放水部１２を兼ねる管状継手２６を、直接、溶接などにより、外側当接部３２に取り付けている以外、実施例１における水供給装置１０と実質的に同様である。
このように、１つの管状継手２６が、配管固定部１１及び水放水部１２を兼ね、１つの部材で構成されていることにより、より簡素な構造にすることができ、組み立て作業を低減させ、製造コストを抑えることができる。
なお、図８において、外側当接部３２は、中央付近における下端部が切欠された形状に形成されているが、外側当接部３２の形状は、内側当接部とともに室外ユニットの天板を挟持し得る形状をしている限りどのような形状であってもよい。
【００２５】
実施例３
この実施例における水供給装置は、図９に示したように、カバー２７の一部に、例えば、直径５〜１０ｍｍ程度の孔２７ａが複数形成されている以外、実施例１における水供給装置１０と実質的に同様である。なお、孔２７ａの任意の大きさに設定することができる。
これにより、水供給装置によって、室外ユニットの室外側熱交換器における外気吸入面への外気の流通を阻害することなく、効率的な熱交換を可能とする。
【００２６】
変形例
（１）配管固定部１１は、配管の差込方向が、左右いずれからでも差し込めるように構成されていてもよく、さらに、斜め又は上方から差し込めるように回動するように構成されていてもよい。
（２）水分配部１３は、フェルトのほか、中空管の束、ポリマー繊維及びこれらの積層材、ウレタン等の発泡剤など、含水し、水を保持し得る材料であればどのようなものでもよい。また、調整用貫通孔の形状、数は任意に設定することができる。さらに、水分配部１３の端面は、斜めにカットされていなくてもよく、略直角にカットされていてもよい。
（３）カバー１４の形状は、コの字に近い形状でなくても、Ｖ字状、Ｕ字状等、種々の形状とすることができる。また、カバー１４に形成された複数の孔は、形状、数、位置等を任意に設定することができる。
【００２７】
（４）カバー１４は、外側当接部２２に直接固定されていてもよいし、配管固定部１１や水放出部１２等を介して固定されていてもよい。
（５）水供給装置１０における配管固定部１１とは別に、室外機の天板等において、配管を水供給装置１０にまで導くために、図１０に示したような、配管ガイド３０を用いてもよい。この配管ガイド３０は、例えば、ドレン水配管を固定する固定部３１と、室外機天板２５のコーナー部の２面に貼着するための２つの貼着部３２とからなる。固定部３１は、ドレン水配管の形状に沿うように、円弧状に形成されている。貼着部３２は、いずれか一方の全部又は一部が、蛇腹状に形成されている。このような形状により、蛇腹状でない一方の貼着部３２を天板のコーナー部に貼着した後、蛇腹状の他方の貼着部３２を広げたり、狭めたり屈曲させることにより、貼着部３２の全面を天板に貼着させることができる。
（６）配管固定部１１と水放出部１２とは、必ずしも別個の部材で形成されていなくてもよく、両者の機能を兼ねた１つの部材で形成されていてもよい。また、他の水供給装置の部材、例えば、固定部２４における外側当接部２２、カバー１４等が、配管固定部１１の機能を兼ねて構成されていてもよい。さらに、水放出部１２は、配管固定部１１に固定された配管それ自体で構成されていてもよい。
【００２８】
（７）固定部２４は、必ずしも図１に示すように、室外ユニットの天板の垂下片を挟持するような構造でなくてもよく、例えば、室外ユニットの天板の上面を奥行き方向に沿うような形状の当接部を用いて、天板の上面を奥行き方向に挟み込むように構成されていてもよく、さらに、室外ユニットの高さ方向に、例えば棒状の当接部を用いて、室外ユニットの高さ方向に挟み込む又は取り付けるように構成されていてもよい。
（８）固定部２４は、必ずしも内側当接部及び締結部材とを有していなくてもよい。例えば、室外ユニットの天板の垂下片に、本発明の水供給装置の取り付け用の下孔が形成されていれば、その下孔を利用し、例えば、ボルト・ナット等によって、固定部２４における外側当接部２２を室外ユニットの天板の垂下片に固定するものであってもよい。
【産業上の利用可能性】
【００２９】
本発明のセパレート型空気調和機の室外ユニット用水供給装置は、メーカーや機種を問わず、全ての空気調和機の室外ユニット用に対して幅広く利用することができる。
【図面の簡単な説明】
【００３０】
【図１】本発明のセパレート型空気調和機の室外ユニット用水供給装置の実施例１を示す分解斜視図である。
【図２】図１の水供給装置を室外ユニットに取り付けた状態を示す側面図である。
【図３】図１の水供給装置における外側当接部と配管固定部の一部を示す平面図（ａ）、正面図（ｂ）及び側面図（ｃ）である。
【図４】図１の水供給装置における内側当接部を示す平面図（ａ）、正面図（ｂ）及び側面図（ｃ）である。
【図５】図１の水供給装置における水分配部を示す正面図（ａ）及び側面図（ｂ）である。
【図６】図１の水供給装置におけるカバーを示す平面図（ａ）、正面図（ｂ）及び側面図（ｃ）である。
【図７】図１の水分配部をカバーに取り付けるための押さえ板を示す平面図（ａ）、正面図（ｂ）及び側面図（ｃ）である。
【図８】本発明のセパレート型空気調和機の室外ユニット用水供給装置の実施例２における外側当接部、配管固定部及び水供給部を示す斜視図である。
【図９】本発明のセパレート型空気調和機の室外ユニット用水供給装置の実施例３におけるカバーを示す斜視図である。
【図１０】本発明の水供給装置とともに使用される配管ガイドを示す正面図である。
【符号の説明】
【００３１】
１０  セパレート型空気調和気の室外ユニット用ドレン水供給装置
１１  配管固定部
１２  水放出部
１３  水分配部
１３ｂ  先端部
１３ａ  調整用貫通孔
１３ｃ、１４ａ、１７ａ  貫通孔
１４、２７  カバー
１４ｂ  長孔
１５  注水箱
１６、２６  管状継手
１７  押さえ板
１８  締結部材
２１  内側当接部
２１ａ  折曲部
２１ｂ  下端折曲部
２２、３２  外側当接部
２２ａ  位置決め部
２２ｂ  支持部
２２ｃ  調整部
２２ｄ  切欠部
２３  締結部材
２４  固定部
２５  室外ユニット天板
２５ａ  垂下片
２７ａ  孔
３０  配管ガイド
３１  固定部
３２  貼着部
３３  フィン
【図１】
2005195233.tif 000003
【図２】
2005195233.tif 000004
【図３】
2005195233.tif 000005
【図４】
2005195233.tif 000006
【図５】
2005195233.tif 000007
【図６】
2005195233.tif 000008
【図７】
2005195233.tif 000009
【図８】
2005195233.tif 000010
【図９】
2005195233.tif 000011
【図１０】
2005195233.tif 000012